(57)【要約】      （修正有）【課題】ホルダ本体に収納部材を設けるとともに、前記ホルダ本体の収納部材側に保護部材を設けたホルダーにおいて、工具類の出し入れをよりスムーズにしたツールホルダーを提供する。【解決手段】ホルダ本体２の第１の表面２Ｓに収納部材を設けると共に、ホルダ本体２の収納部材４Ａ側に保護部材７を設け、保護部材７の第２の表面７Ｓを第１の表面２Ｓよりも摩擦係数の小さい材質により形成する。工具類の出し入れをスムースに行うことができると共に、工具類の変形、破損なども防ぐことができる。【選択図】図１
0003148419.tif 000002
【実用新案登録請求の範囲】
【請求項１】
ホルダ本体の第１の表面に収納部材を設けるとともに、前記ホルダ本体の前記収納部材側に保護部材を設けたツールホルダにおいて、前記保護部材の第２の表面を前記第１の表面よりも摩擦係数を小さく形成することを特徴とするツールホルダ。
【請求項２】
前記保護部材は少なくとも前記収納部材の上端近傍に設けたことを特徴とする請求項１記載のツールホルダ。
【請求項３】
前記保護部材は前記収納部材の内面に設けたことを特徴とする請求項１又は請求項２記載のツールホルダ。
【請求項４】
前記ホルダ本体は化学繊維製の非吸水性で高強度の織布、不織布又は編布からなるとともに、前記ホルダ本体は装着部と前記収納部材を備えたホルダ部とから構成され、繊維製のメッシュ材からなる収納ポケットが前記収納部材に設けられるとともに、前記装着部が前記ホルダ本体の上端側を折り曲げて該ホルダ本体に固定手段によって固定されて扁平リング状に形成され、前記固定手段が前記収納部材の上方において前記ホルダ本体の外面から外側へ突出して設けられていることを特徴とする請求項１〜３のいずれか１項記載のツールホルダ。
【請求項５】
前記ホルダ本体は皮革からなるとともに、前記ホルダ本体は装着部と前記収納部材を備えたホルダ部とから構成され、前記装着部が前記ホルダ本体の上端側を折り曲げて該ホルダ本体に固定されて扁平リング状に形成され、前記保護部材はホルダ本体の前記収納部材側全面に亘って設けられ、前記ホルダ部の最下部にクッション材及び排出口が設けられていることを特徴とする請求項１記載のツールホルダ。
【請求項６】
前記収納部材の上部に蓋部材を設け、前記ホルダ本体に前記蓋部材の一端を固定するとともに、前記蓋部材の他端の一面に第１の着脱部、前記蓋部材の他端の他面に第２の着脱部を設け、前記収納部材の上部外側に前記第１の着脱部と係合可能な第１の着脱受部、前記ホルダ本体の上部に前記第２の着脱部と係合可能な第２の着脱受部を設けたことを特徴とする請求項４記載のツールホルダ。
【考案の詳細な説明】
【技術分野】
【０００１】
本考案は、工具類などを腰に吊り下げたり、持ち運ぶためのツールホルダに関する。
【背景技術】
【０００２】
従来、この種のものとして同一出願人によるホルダ本体に収納部材を設けるとともに、前記ホルダ本体の前記収納部材側に保護部材を設け、収納部材に工具類を挿入するときに、工具類が当る部位が傷つき破損することを防止できるツールホルダを提案している（例えば、特許文献１）。
【特許文献１】実用新案登録第３０８１２０１号公報
【考案の開示】
【考案が解決しようとする課題】
【０００３】
従来技術においては、保護部材によって工具類の出し入れの際にホルダ本体が傷ついたり、或いは破損を防ぐことができる。
【０００４】
しかしながら、従来技術では工具類の出し入れの際に、ホルダーに工具類が多少引っ掛かってしまい、出し入れしにくい場合がある。
【０００５】
解決しようとする問題点は、ホルダ本体に収納部材を設けるとともに、前記ホルダ本体の収納部材側に保護部材を設けたホルダーにおいて、工具類の出し入れをよりスムーズにする点である。
【課題を解決するための手段】
【０００６】
本考案の請求項１記載のツールホルダは、ホルダ本体の第１の表面に収納部材を設けるとともに、前記ホルダ本体の前記収納部材側に保護部材を設けたツールホルダにおいて、前記保護部材の第２の表面を前記第１の表面よりも摩擦係数を小さく形成することを特徴とする。
【０００７】
また、請求項２記載のツールホルダーは、請求項１において、前記保護部材は少なくとも前記収納部材の上端近傍に設けたものである。
【０００８】
請求項３記載のツールホルダーは、請求項１又は請求項２において、前記保護部材は前記収納部材の内面に設けたものである。
【０００９】
請求項４記載のツールホルダーは、請求項１〜３のいずれか１項において、前記ホルダ本体は化学繊維製の非吸水性で高強度の織布、不織布又は編布からなるとともに、前記ホルダ本体が装着部と前記収納部材を備えたホルダ部とから構成され、繊維製のメッシュ材からなる収納ポケットが前記収納部材に設けられるとともに、前記装着部が前記ホルダ本体の上端側を折り曲げて該ホルダ本体に固定手段によって固定されて扁平リング状に形成され、前記固定手段が前記収納部材の上方において前記ホルダ本体の外面から外側へ突出して設けられているものである。
【００１０】
請求項５記載のツールホルダーは、請求項１において、前記ホルダ本体は皮革からなるとともに、前記ホルダ本体は装着部と前記収納部材を備えたホルダ部とから構成され、前記装着部が前記ホルダ本体の上端側を折り曲げて該ホルダ本体に固定されて扁平リング状に形成され、前記保護部材はホルダ本体の前記収納部材側全面に亘って設けられ、前記ホルダ部の最下部にクッション材及び排出口が設けられているものである。
【００１１】
さらに、請求項６記載のツールホルダは、請求項４において、前記収納部材の上部に蓋部材を設け、前記ホルダ本体に前記蓋部材の一端を固定するとともに、前記蓋部材の他端の一面に第１の着脱部、前記蓋部材の他端の他面に第２の着脱部を設け、前記収納部材の上部外側に前記第１の着脱部と係合可能な第１の着脱受部、前記ホルダ本体の上部に前記第２の着脱部と係合可能な第２の着脱受部を設けたものである。
【考案の効果】
【００１２】
請求項１の考案によれば、保護部材により、工具類が当る部位が傷つき破損することを防止でき、さらに前記保護部材の第２の表面を前記第１の表面よりも摩擦係数の小さい材質により形成することで、工具類の出し入れで工具類が第２の表面に当てっても滑りやすくなっており、引っ掛かりなく出し入れすることができる。
【００１３】
請求項２の考案によれば、特に工具類を出し入れする際に工具類が当りやすい部位が傷つき破損することを防止できるものとなっている。
【００１４】
請求項３の考案によれば、工具類が当る部位が傷つき破損することを防止できるものとなっている。
【００１５】
請求項４の考案によれば、化学繊維は皮革と比べて軽量で柔軟性に富むため、体躯などへの追従性が良好で工具などを収納部材に入れやすくなっている。また、ツールホルダ自体が水を吸収して重くなるようなことがなく、収納物が濡れにくく、乾燥しやすくなっている。しかもツールホルダとして十分な強度を有する。さらに、収納ポケットはメッシュ材からなるので、収納物に対する追従性に特に優れ、作業などの合間に部品や工具などを無造作に入れても保持しやすくなっている。また、リング状の装着部を腰などに挿通することにより作業者の腰部に固定しやすく、収納部材及び収納ポケットに収納した工具などを作業中に取り出しやすく、また収納もしやすくなっている。さらに、固定手段が突出して設けられているので、使用者に注意を喚起させ、工具類を収納する際に前記固定手段の位置を視覚で確実に確認させることにより、工具類の収納時に工具類が傷つくことを防止できるものとなっている。
【００１６】
請求項５の考案によれば、リング状の装着部を腰などに挿通することにより作業者の腰部に固定しやすく、収納部材に収納した工具などを作業中に取り出しやすく、また収納もしやすくなっている。また、ノミなどの刃物を収納した場合にも、合成樹脂からなる保護部材によりホルダ本体を傷付けることがない。また、クッション材を設けたことにより、ノミを収納した場合にノミの先端がクッション材に当るので、ノミの刃先がツールホルダの縫い糸を切り、ノミの先端がツールホルダの下部を突き抜けてしまう危険を回避できる。さらに、排出口により、ツールホルダの内側の最下部に溜まった木くず等を容易に排出することができる。
【００１７】
請求項６の考案によれば、工具を出し入れする際には、蓋部材の他端を第２の着脱部及び第２の着脱受部によってホルダ本体の上部に係合可能であるので、工具を出し入れする際に蓋部材が邪魔にならない。
【考案を実施するための最良の形態】
【００１８】
本考案における好適な実施の形態について、添付図面を参照して説明する。
【実施例１】
【００１９】
以下、本考案を添付図面に基づき詳細に説明する。図１及び図２は、本考案の実施例１によるツールホルダを示しており、このツールホルダ１は、化学繊維製の布材からなるホルダ本体２からなり、このホルダ本体２には、装着部３とホルダ部４とが形成されている。ホルダ部４は、ホルダ本体２の外面側にホルダ本体２と同じ化学繊維製の布材からなる収納部材４Ａを装着してなり、この収納部材４Ａには繊維製のメッシュ材からなる収納ポケット５が設けられている。この収納部材４Ａおよび収納ポケット５は二つの区画に分割されている。また、装着部３は図２に示すようにホルダ本体２の長手方向における上端側を折り曲げて、該ホルダ本体２の反対面側にリベット等の固定手段６により固定することにより扁平なリング状となっている。この固定手段６は、収納部材４Ａの上方において、ホルダ本体２の外面から外側に突出して設けられている。このようなツールホルダ１においてホルダ本体２は、化学繊維製の非吸水性で高強度の織布、不織布又は編布からなるのが好ましく、具体的には、高硬度ナイロン織布や、ポリエステル織布、ポリ塩化ビニル織布などからなるのが好ましい。また、ホルダ本体２上の特に工具類を出し入れする際に工具類が当りやすい部位、すなわちホルダ本体２上の収納部材側４Ａにおける収納部材４Ａの上端近傍の、固定手段６の周囲近傍から収納部材４Ａの上部が対向する部位には、合成樹脂からなる保護部材７が部分的に設けられている。なお、この保護部材７は、皮革、ビニールレザー、化学繊維等の、合成樹脂以外の材料から構成されている。そして、ホルダ本体２における保護部材７を装着した第１の表面２Ｓの摩擦係数Ｘに比較して、保護部材７の第２の表面７Ｓの摩擦係数Ｙを小さくしている（Ｘ＞Ｙ）。すなわち、第１の表面２Ｓに比較して第２の表面７Ｓは滑りやすくなっている。尚、摩擦係数は、2つの物体の接触面にはたらく摩擦力の大きさＦと２面を垂直に押し付けている力（垂直荷重）の大きさＰとの比（Ｆ／Ｐ）をいう。この摩擦係数は動摩擦係数と静摩擦係数があり、本願の摩擦係数は、動摩擦係数、静摩擦係数の少なくとも一方が該当すればよい。
【００２０】
前記構成につきその作用について説明する。まず、装着する際には扁平リング状の装着部３をベルトなどに挿通することにより、使用者の腰部に装着する。そして、工具類などを分割された収納部材４Ａに収納するとともに、部品や頻繁に使用する工具類などは分割された収納ポケット５に分別して収納し、必要に応じてこれら収納部材４Ａ及び収納ポケット５に収納した工具類などを取り出して使用することができる。このときホルダ本体２は、化学繊維製の布材からなるので人体の腰部の湾曲面に対する追従性に優れているため、使用者へのなじみが良好なものとなっている。また、収納部材４Ａもここに収納された工具類などの形状に応じてある程度変形するため、工具類などがしっかりと収納される。さらに、収納ポケット５はメッシュ材からなり、特に追従性に優れているため、頻繁に出し入れしやすくなっている。その上、工具類を出し入れする際に工具類が当り易く最も破損し易い部位に、保護部材７を設けたため、その部位の破損を防ぐことができる。
【００２１】
また、使用者は、大切な工具類が傷つくことを極度に嫌う傾向がある。従来のツールホルダは、工具類と接触する虞のある金具は、工具類に当りにくいようになるべく突出しないように設けられているが、本実施例においては、固定手段６を故意に突出して設けた。これにより、使用者に注意を喚起させ、工具類を収納する際に固定手段６の位置を視覚で確認させる。この確認を確実に行わせることによって、工具類の収納時に工具類が傷つくことを防止できる。
【００２２】
以上詳述したとおり、実施例１のツールホルダ１は、請求項１に対応して、ホルダ本体２の第１の表面２Ｓに収納部材Ａを設けると共に、ホルダ本体２の収納部材４Ａ側に保護部材７を設け、保護部材７の第２の表面７Ｓを第１の表面２Ｓよりも摩擦係数の小さい材質（Ｘ＞Ｙ）により形成することで、工具類を出し入れするとき、工具類が第２の表面７Ｓに引っ掛かったとしても、その引っ掛かりは第１の表面２Ｓの引っ掛かりよりも小さく済み、この結果、工具類の出し入れをスムースに行うことができると共に、工具類の変形、破損なども防ぐことができる。
【００２３】
また、請求項２に対応して、保護部材７は少なくとも収納部材４Ａの上端近傍に設けたものであるので、特に工具類を出し入れする際に工具類が当りやすい部位が傷つき破損することを防止できるものとなっている。
【００２４】
さらに、請求項４に対応して、ホルダ本体２は化学繊維製の非吸水性で高強度の織布、不織布又は編布からなるとともに、ホルダ本体２が装着部３と収納部材４Ａを備えたホルダ部４とから構成され、繊維製のメッシュ材からなる収納ポケット５が収納部材４Ａに設けられるとともに、装着部３がホルダ本体２の上端側を折り曲げてホルダ本体２に固定手段６によって固定されて扁平リング状に形成され、固定手段６が収納部材４Ａの上方においてホルダ本体２の外面から外側へ突出して設けられているものである。化学繊維は皮革と比べて軽量で柔軟性に富むため、装着した際に体躯などへの追従性が良好で、使用者が屈んだり、動いたりした場合には、腰部の曲面に応じてある程度湾曲するためホルダ部４が腰部から浮き上がりにくく、収納部材４Ａ及び収納ポケット５での収納性が向上したものとなっている。また収納部材４Ａが工具類などに適応して変形するので入れやすく、またしっかりと収納することが可能となっている。また、ツールホルダ１自体が水を吸収して重くなるようなことがなく、収納部材４Ａに収納した工具類などが濡れにくく、また、乾燥しやすくなっている。しかもツールホルダとして十分な強度を有する。さらに、収納ポケット５はメッシュ材からなるので、特に工具類などの収納物に対する追従性に優れ、作業などの合間に工具類などを無造作に入れても瞬時にこれに追従して保持しやすなっている。また、リング状の装着部３を腰などに挿通して装着することにより作業者の腰部に固定しやすく、収納部材４Ａ及び収納ポケット５に収納した工具などを作業中に取り出しやすく、また収納もしやすくなっている。さらに、固定手段６が突出して設けられているので、使用者に注意を喚起させ、工具類を収納する際に固定手段６の位置を視覚で確実に確認させることにより、工具類の収納時に工具類が傷つくことを防止できるものとなっている。
【実施例２】
【００２５】
次に、本考案の実施例２について図３及び図４を参照して説明する。実施例２のツールホルダは、基本的には、前述した実施例１と同じ構成を有するので、同一の構成には同一の符号を付し、その詳細な説明を省略する。本実施例のツールホルダ１は、収納部材４Ａが上方からみてコの字状に形成されており、この収納部材４Ａの背面および側面には繊維製のメッシュ材からなる収納ポケット５、５Ａがそれぞれ設けられている。また、ホルダ本体２上の工具類が当る部位、すなわちホルダ本体２上の、収納部材４Ａ側の収納部材４Ａに対向する部分には、固定手段６の周囲近傍からホルダ本体２の下端まで、合成樹脂等からなる保護部材７Ａが設けられている。また、収納部材４Ａの背面内側および側面内側には、同じく合成樹脂等からなる保護部材７Ｂ、７Ｃがそれぞれ設けられている。
【００２６】
ホルダ部４上には、蓋部材８の一端が固定されて設けられており、蓋部材８の他端には第１の着脱部たる第１の面状ファスナ９の一方が設けられ、収納部材４Ａの上部外側に設けられた第１の着脱受部たる第１の面状ファスナ９の他方と着脱可能に係合されている。また、蓋部材８の第１の面状ファスナ９とは反対の面には、第２の着脱部たる第２の面状ファスナ９Ａの一方が設けられるとともに、第２の着脱受部たる第２の面状ファスナ９Ａの他方はホルダ本体２の上部に設けられており、蓋部材８の他端とホルダ本体２の上部とは第２の面状ファスナ９Ａによって係合可能となっている。
【００２７】
前記構成につきその作用について説明する。実施例２のツールホルダ１は、基本的には前述した実施例１と同様の作用を奏するが、収納部材４Ａが上方からみてコの字状に形成されており、厚みのある比較的大きい工具類を収納するのに適している。また、収納部材４Ａの上部には、ホルダ部４上に着脱可能に蓋部材８が設けられており、ホルダ部４から工具が抜け落ちるのを防止できるようになっている。さらに、工具類が当る部位には合成樹脂からなる保護部材７Ａ、７Ｂ、７Ｃをそれぞれ設けたので、その部位の破損を防ぐことができる。また、蓋部材８の他端は、工具収納時には第１の面状ファスナ９により収納部材４Ａの上部外側に着脱可能に係合されているが、工具を出し入れする際には、蓋部材８の他端は、第２の面状ファスナ９Ａによってホルダ本体２の上部に着脱可能に係合することができる。したがって、工具を出し入れする際に蓋部材８が邪魔にならない。
【００２８】
以上詳述したとおり、実施例２のツールホルダ１は、請求項３に対応して、収納部材４Ａの内面に保護部材７Ｂ、７Ｃを設けたものであるので、工具類が当る部位が傷つき破損することを防止できるものとなっている。
【００２９】
また、請求項６に対応して、収納部材４Ａの上部に蓋部材８を設け、ホルダ本体２に蓋部材８の一端を固定するとともに、蓋部材８の他端の一面に第１の着脱部たる面状ファスナ９の一方、蓋部材８の他端の他面に第２の着脱部たる面状ファスナ９Ａの一方を設け、前記収納部材の上部外側に前記第１の面状ファスナ９の一方と係合可能な第１の着脱受部たる面状ファスナ９の他方、前記ホルダ本体の上部に前記第２の面状ファスナ９Ａの一方と係合可能な第２の着脱受部たる面状ファスナ９Ａの他方を設けたものである。このため、工具を出し入れする際には、蓋部材８の他端を面状ファスナ９Ａによってホルダ本体２の上部に係合可能であるので、工具を出し入れする際に蓋部材８が邪魔にならない。
【実施例３】
【００３０】
次に、本考案の実施例３について図５を参照して説明する。実施例３のツールホルダは、基本的には、前述した実施例１と同じ構成を有するので、同一の構成には同一の符号を付し、その詳細な説明を省略する。本実施例のツールホルダ１は、ホルダ本体２が上側の装着部10と下側のホルダ部11とに分割されており、これら装着部10とホルダ部11とをヒンジ機構である蝶番12により裏面側（内面側）に向けて回動自在に接続してなる。また、ホルダ部11上の収納部材４Ａ側には、保護部材７が設けられている。
【００３１】
前記構成につきその作用について説明すると、実施例３のツールホルダ１は、基本的には前述した実施例１と同様の作用を奏するが、ベルトなどに挿通して腰部に装着した装着部10と、ホルダ部11とが蝶番12により回動自在に接続されているので、使用者が屈んだり、動いたりした場合には、腰部の曲面に応じてホルダ部11が蝶番12の回動軸12Ａにおいて回動することで追従するので、ホルダ部11が体躯より離間して浮き上がりにくく、収納部材４Ａ及び収納ポケット５での収納性が一層向上したものとなっている。また、保護部材７により、工具類が当りやすいホルダ部11上の収納部材４Ａ側が傷つき破損することを防止することができるようになっている。
【実施例４】
【００３２】
次に、本考案の実施例４について添付図面に基づき詳細に説明する。図６は、本考案の実施例４によるツールホルダを示しており、このツールホルダ21は、化学繊維製の布材からなるホルダ本体22からなり、このホルダ本体22の背面側（内面側）には、装着部23としての着脱機構たるバックル25を備えた帯状部材であるベルト部材24が取り付けられている。このベルト部材24は図示しない長さ調節機構を備える。また、ホルダ本体22の前面側には全面を覆うように収納部材26Ａが取りつけられることによりホルダ部26が形成されている。27はホルダ部26から延在する蓋部材であり、この蓋部材27の内面には、多数のループを有する着脱部28が取り付けられているとともに、収納部材26Ａの外面には、前記着脱部28に対応して多数の係合部材を有する着脱受け部（図示せず）が取り付けられている。これら着脱部28及び着脱受け部はいわゆる面状ファスナ（ベルベットファスナ）として機能するものである。さらに、収納部材26Ａには繊維製のメッシュ材からなる収納ポケット29が設けられている。このような本実施例のツールホルダ21においてホルダ本体22は、化学繊維製の非吸水性で高強度の織布、不織布又は編布からなるのが好ましく、具体的には、高硬度ナイロン織布や、ポリエステル織布、ポリ塩化ビニル織布などからなるのが好ましい。また、ツールホルダ21の工具を収納する部分の内面、すなわちホルダ本体22上の収納部材26Ａ側および収納部材26Ａの内面には、全体に亘って保護部材（図示せず）が設けられている。
【００３３】
前記構成につきその作用について説明する。まず、装着する際にはバックル25を外した状態でベルト部材24を腰部に巻きつけたら長さを調節してバックル25をフックすることにより、使用者の腰部に装着することができる。そして、ホルダ部26の蓋部材27を開いて収納部材26Ａに工具類などを収納するとともに、部品や頻繁に使用する工具類などは収納ポケット29に収納し、必要に応じてこれら収納部材26Ａ及び収納ポケット29に収納した工具類などを取り出して使用することができる。このときホルダ本体22は、化学繊維製の布材からなるので人体の腰部の湾曲面に対する追従性に優れているため、使用者へのなじみが良好なものとなっている。また、収納部材26Ａもここに収納された工具類などに応じて変形するため、工具類などがしっかりと収納される。さらに、収納ポケット29がメッシュ材からなるので、特に追従性に優れているため、頻繁に出し入れしやすくなっている。そして、使用を終えたらバックル25を外してベルト部材24を外せばよい。また、保護部材（図示せず）により、工具類が当りやすいホルダ本体22上の収納部材26Ａ側および収納部材26Ａの内面が傷つき破損することを防止することができるようになっている。
【実施例５】
【００３４】
次に本考案の実施例５について添付図面に基づき詳細に説明する。図７は、本考案の実施例５によるツールホルダを示しており、このツールホルダ31は、化学繊維製の布材からなるホルダ本体32からなり、ホルダ本体32の外面には把持部たる取手33が取り付けられており、このホルダ本体32の一端側の内面には多数のループを有する着脱部34が設けられているとともに、ホルダ本体32の他端側の外面には、前述した着脱部34と係合可能な多数の係合部材を有する着脱受け部35が設けられている。これら着脱部34及び着脱受け部35はいわゆる面状ファスナ（ベルベットファスナ）として機能するものであり、前記着脱部34と着脱受け部35とを係合させることにより前記ホルダ本体32を折り畳んでコンパクト化して固定可能となっている。また、ホルダ本体32の外面側には繊維製のメッシュ材からなる収納ポケット36が設けられており、さらにホルダ本体32の内面側には図８に示すように２つの収納部材38Ａ、38Ｂが設けられており、これにより複数に区画されたホルダ部37となっている。なお、39Ａ、39Ｂは、それぞれ収納部材38Ａ、38Ｂの蓋体であり、40Ａ、40Ｂは着脱部で41Ａ、41Ｂは着脱受け部であり、それぞれ蓋体39Ａ、39Ｂを収納部材38Ａ、38Ｂに着脱する。42，42…は差し込み受け部材である。このようなツールホルダ31においてホルダ本体32は、化学繊維製の非吸水性で高強度の織布、不織布又は編布からなるのが好ましく、具体的には、高硬度ナイロン織布や、ポリエステル織布、ポリ塩化ビニル織布などからなるのが好ましい。また、ツールホルダ31の工具を収納する部分の内面、すなわちホルダ本体32上の収納部材38Ａ、38Ｂ側および収納部材38Ａ、38Ｂの内面には、全体に亘って保護部材（図示せず）が設けられている。
【００３５】
前記構成につきその作用について説明する。まず、図８に示すように着脱部34と着脱受け部35との接合を解除してホルダ部37を開き、収納部材38Ａ及び38Ｂにそれぞれ工具類などを収納し蓋体39Ａ，39Ｂを閉じたら、ホルダ本体32を丸めるように折り畳んで、着脱部34と着脱受け部35で接合することによりコンパクト化し、取手33を把持して持ち運ぶことができる。また、部品や頻繁に使用する工具類などは外面側の収納ポケット36に収納することができる。そして、作業する場所にきたら着脱部34と着脱受け部35との接合を解除してホルダ部37を開き、収納部材38Ａ及び38Ｂに収納した工具を取り出して使用する。このときホルダ本体32は、化学繊維製の布材からなるので持ち運ぶ際の体躯の湾曲面に対する追従性に優れているため、使用者へのなじみが良好であり、収納部材38Ａ及び38Ｂもそこに収納された工具類などに応じて変形するため、工具類などをコンパクトにしっかりと収納することができる。さらに、収納ポケット36がメッシュ材からなるので、特に追従性に優れているため、頻繁に出し入れしやすくなっている。そして、使用を終えたら再度ホルダ本体32を丸めるように折り畳み、着脱部34と着脱受け部35で接合することによりコンパクト化すればよい。また、保護部材（図示せず）により、工具類が当りやすいホルダ本体32上の収納部材38Ａ、38Ｂ側および収納部材38Ａ、38Ｂの内面が傷つき破損することを防止することができるようになっている。
【実施例６】
【００３６】
次に、本考案の実施例６について、図９を参照して説明する。実施例６のツールホルダは、基本的には、前述した実施例１と同じ構成を有するので、同一の構成には同一の符号を付し、その詳細な説明を省略する。本実施例のツールホルダ１は、ホルダ本体２が幅広に形成されているとともに、ホルダ部４においては、大容量の収納部材４Ｂが取りつけられていて、この収納部材４Ｂには大型の収納ポケット５Ａが設けられている。この収納ポケット５Ａは大小複数の区画に分割されている。また、ホルダ本体２上の工具類が当る部位、すなわちホルダ本体２上の、収納部材４Ｂ側の収納部材４Ｂに対向する部分には、固定手段６の周囲近傍からホルダ本体２の下端まで、皮革又は合成樹脂等からなる保護部材７が設けられている。本実施例のようにホルダ本体２を幅広に形成し、収納部材４Ｂを大容量とすることにより、大型工具類などを収納可能とすることもできる。
【００３７】
また、収納ポケット５Ａが大小複数の区画に分割されているので、種々の工具類や部品類などをここに収納することもできる。さらに、工具類が当る部位には皮革又は樹脂からなる保護部材７を設けたので、その部位の破損を防ぐことができる。
【実施例７】
【００３８】
次に、本考案の実施例７について、図１０乃至図１２を参照して説明する。
実施例７のツールホルダは、主にノミなどの先端が鋭利な工具類を収納するためのものであるが、基本的には、前述した実施例１と同じ構成を有するので、同一の構成には同一の符号を付し、その詳細な説明を省略する。本実施例のツールホルダ１は、皮革からなるホルダ本体２からなり、このホルダ本体２には、装着部３とホルダ部４とが形成されている。ホルダ部４は、ホルダ本体２の外面側にホルダ本体２と同じ皮革からなる収納部材４Ａを装着してなる。また、装着部３は図１１に示すようにホルダ本体２の長手方向における上端側を折り曲げて、該ホルダ本体２の反対面側に固定することにより扁平なリング状となっている。
【００３９】
また、ホルダ本体２上の工具類を出し入れする際に工具類が当る部位、すなわちホルダ本体２上の収納部材側４Ａには全面に亘って合成樹脂等からなる保護部材７が設けられている。ホルダ部４の最下部には、スポンジ状の樹脂或いは綿などからなるクッション材50が設けられるとともに、直径１〜２ｃｍほどの排出口5が設けられている。
【００４０】
前記構成につきその作用について説明する。まず、装着する際には扁平リング状の装着部３をベルトなどに挿通することにより、使用者の腰部に装着する。そして、工具類などを収納部材４Ａに収納するとともに、必要に応じてこれら収納部材４Ａ及び収納ポケット５に収納した工具類などを取り出して使用することができる。また、ノミなどの刃物を収納する場合においても、合成樹脂からなる保護部材７をホルダ本体２の収納部材４Ａ側全面に亘って設けたため、ホルダ本体２の破損を防ぐことができる。また、ノミを収納した場合、ホルダ部４の最下部に設けられたクッション材50にノミの先端が当るので、ノミの刃先がツールホルダの縫い糸を切り、ノミの先端がツールホルダの下部を突き抜けることがない。
【００４１】
さらに、ホルダ部４の最下部に設けられた排出口51から、ツールホルダの内側の最下部に溜まりやすい木くず等を容易に排出することができる。
【００４２】
以上詳述したとおり、実施例７のツールホルダ１は、請求項５に対応して、ホルダ本体２は皮革からなるとともに、ホルダ本体２は装着部３と収納部材４Ａを備えたホルダ部４とから構成され、装着部３がホルダ本体２の上端側を折り曲げてホルダ本体２に固定されて扁平リング状に形成され、保護部材７はホルダ本体２の収納部材４Ａ側全面に亘って設けられ、ホルダ部４の最下部にクッション材50及び排出口51が設けられているものである。このため、リング状の装着部３を腰などに挿通することにより作業者の腰部に固定しやすく、収納部材４Ａに収納した工具などを作業中に取り出しやすく、また収納もしやすくなっている。また、ノミなどの刃物を収納した場合にも、合成樹脂からなる保護部材７によりホルダ本体２を傷付けることがない。また、クッション材50を設けたことにより、ノミを収納した場合にノミの先端がクッション材50に当るので、ノミの刃先がツールホルダ１の縫い糸を切り、ノミの先端がツールホルダ１の下部を突き抜けてしまう危険を回避できるものとなっている。さらに、排出口51により、ツールホルダ１の内側の最下部に溜まった木くず等を容易に排出することができるものとなっている。
【実施例８】
【００４３】
さらに、本考案の実施例８について、図１３を参照して説明する。実施例８のツールホルダは、基本的には、前述した実施例１と同じ構成を有するので、同一の構成には同一の符号を付し、その詳細な説明を省略する。本実施例のツールホルダ１は、ホルダ本体２上の、収納部材４Ａ側の収納部材４Ａに対向する部分には、固定手段６の周囲近傍からホルダ本体２の下端まで、皮革又は合成樹脂等からなる保護部材７が設けられている。本実施例のようにホルダ本体２の下端まで保護部材７を設けることにより、工具類が当る部位の破損を防ぐことができる。
【００４４】
以上、本発考案のツールホルダについて前記各実施例を参照して説明してきたが、本考案は、前記実施例に限られるものではなく、本考案の思想の範囲内で種々の変形実施が可能である。例えば、ホルダ本体の形状は種々の形状でよく、また体躯への取りつけ状態も制限されない。さらに、実施例５において、着脱部材34及び着脱受け部35としては面ファスナに限らず、ファスナあるいはスナップなど汎用の係合・係止手段を用いることができる。
【図面の簡単な説明】
【００４５】
【図１】本考案の実施例１のツールホルダを示す全体斜視図である。
【図２】同縦断面図である。
【図３】本考案の実施例２のツールホルダを示す全体斜視図である。
【図４】同縦断面図である。
【図５】本考案の実施例３のツールホルダを示す全体斜視図である。
【図６】本考案の実施例４のツールホルダを示す全体斜視図である。
【図７】本考案の実施例５のツールホルダを示す全体斜視図である。
【図８】同ホルダ本体を開いた状態を示す平面図である。
【図９】本考案の実施例６のツールホルダを示す全体斜視図である。
【図１０】本考案の実施例７のツールホルダを示す全体斜視図である。
【図１１】同縦断面図である。
【図１２】同背面図である。
【図１３】本考案の実施例８のツールホルダを示す全体斜視図である。
【符号の説明】
【００４６】
１，21，31 ツールホルダ
２，22，32 ホルダ本体
２Ｓ  第１の表面
３，10，23 装着部
４，11，26，37 ホルダ部
４Ａ，４Ｂ，26Ａ，38Ａ，38Ｂ 収納部材
５，５Ａ，29，36 収納ポケット
６ 固定手段
７，７Ａ，７Ｂ，７Ｃ 保護部材
７Ｓ  第２の表面
８ 蓋部材
９ 第１の面状ファスナ（第１の着脱部，第１の着脱受部）
９Ａ 第２の面状ファスナ（第２の着脱部，第２の着脱受部）
【図１】
0003148419.tif 000003
【図２】
0003148419.tif 000004
【図３】
0003148419.tif 000005
【図４】
0003148419.tif 000006
【図５】
0003148419.tif 000007
【図６】
0003148419.tif 000008
【図７】
0003148419.tif 000009
【図８】
0003148419.tif 000010
【図９】
0003148419.tif 000011
【図１０】
0003148419.tif 000012
【図１１】
0003148419.tif 000013
【図１２】
0003148419.tif 000014
【図１３】
0003148419.tif 000015